(57)【要約】【課題】  脚部の開閉が容易で、開脚状態および閉脚状態において確実にロックできる壁紙糊付機を提供する。【解決手段】  角パイプで構成された糊付機本体を支持するフレームと、このフレームの四隅においてフレーム長手方向に開脚および閉脚自在に上端部が軸支された脚部６を備えた壁紙糊付機において、脚部６を軸支する軸穴32および軸穴32から等距離の位置にあけた２つのロック穴33、34を有し、上記フレームの四隅に設けた脚ロックプレート３と、後端部にピン18が植設され、先端部が上記ロック穴33、34に係合するロックバー15と、このロックバー15をロック穴33、34に係合する方向に弾力を作用させるスプリング17と、ロックバー15のピン18が摺動する円周方向に対して斜め向きのカム溝22が形成されたつまみ２とを具備し、つまみ２を回わすことにより脚部６を回動し、開脚状態または閉脚状態にロックするものである。【選択図】    図４
2010149391.tif 000002
【特許請求の範囲】
【請求項１】
角パイプで構成された糊付機本体を支持するフレームと、該フレームの四隅においてフレーム長手方向に開脚および閉脚自在に上端部が軸支された脚部を備えた壁紙糊付機において、
上記脚部を軸支する軸穴および該軸穴から等距離の位置にあけた２つのロック穴を有し、上記フレームの四隅に設けた脚ロックプレートと、
後端部にピンが植設され、先端部が上記ロック穴に係合するロックバーと、
該ロックバーを上記ロック穴に係合する方向に弾力を作用させるスプリングと、
該ロックバーのピンが摺動する円周方向に対して斜め向きのカム溝が形成されたつまみとを具備し、
上記つまみを回すことにより、上記ロックバーと上記ロック穴との係合を外して上記脚部を回動し、開脚状態または閉脚状態にロックすることを特徴とする壁紙糊付機。
【請求項２】
つまみのカム溝を傾斜方向が異なる対称形のカム溝として、上記つまみを何れの方向に回してもロックバーとロック穴との係合を外せることを特徴とする請求項１に記載の壁紙糊付機。
【請求項３】
脚部を構成する下部角パイプの上面に設けられた頂部に円弧状の曲面を形成し、該曲面に２つのロック穴をあけた軸受部材と、
上記軸受部材により支持される回動部材と、
該回動部材に設けられた二股の受部材と、
後端部にピンが植設され、先端部が上記ロック穴に係合するロックバーと、
該ロックバーを上記ロック穴に係合する方向に弾力を作用させるスプリングと、
該ロックバーのピンが摺動する円周方向に対して斜め向きのカム溝が形成されたつまみとよりなる紙受け部材を具備し、
上記つまみを回すことにより、上記ロックバーと上記ロック穴との係合を外して上記紙受け部材を回動し、上記紙受け部材を畳んだ状態または斜め上向きに起立させた状態にロックすることを特徴とする請求項１に記載の壁紙糊付機。
【発明の詳細な説明】
【技術分野】
【０００１】
この発明は、壁紙糊付機に関し、特に、糊付機本体を支持するフレームと、このフレーム長手方向の両端部に取り付けられ、フレーム長手方向に開脚および閉脚自在に上端部が軸支された脚柱とからなる脚部を備えた壁紙糊付機において、脚の開閉作業が容易で、かつ、脚を開脚状態および閉脚状態において確実にロックするように構成したものである。
【背景技術】
【０００２】
壁紙糊付機は、糊箱や、糊付けローラおよび送り出しローラよりなるローラ群を備えた糊付機本体と、脚部とにより構成される。そして、その脚部は、糊付機本体を支持するフレームと、フレームの四隅に設けた脚とにより構成され、壁紙糊付機を自動車等で運搬する際に嵩張らないよう、長手方向の内側へ脚部を折り畳み得るように構成されている。
【０００３】
壁紙糊付機の使用時における脚部を開脚状態でロックする手段として、ノブボルトで固定したり、パチン錠で固定するように構成したものが従来から知られている。しかし、従来の固定手段では、安定性はあるが開閉脚作業が面倒であるとか、逆に、作業は容易であるが安定性に欠けるなどの問題があった。
【０００４】
そこで、例えば、開脚状態にあるときに脚柱の回動支点より根元側において脚の側面に当接し、付勢手段により付勢されて脚を開脚状態にロックするロック部材を設けたものが、下記特許文献１などにより提案されている。
【０００５】
また、そのようにロック部材が脚の回動支点より根元側に当接する構造では、脚の回動支点より上方（根元側）にロック部材を当接させるための延長部分を設けることになり、その部分が閉脚した状態で回動支点より外側へはみ出す形態になるので、その分、糊付機の幅寸法が大きくなってしまう（脚間の距離が一定の場合）ということから、フレームに設けた支持部材に脚の上端部を回動可能に軸支し、脚の回動支点より下方に係止用突起を設け、支持部材に、脚の係止用突起と係合するロック手段を取り付けることにより、作業が容易で、安定性があり、かつ、糊付機の外形寸法、特に幅方向の寸法を短くしたものも下記特許文献２により提案されている。
【０００６】
脚の回動支点より離れた位置に、脚の回動を阻止する１つのストッパーを設け、脚保持部材に、開脚状態および閉脚状態おいて脚のストッパーを掛止するストッパーガイドを設けてロックする壁紙糊付機の脚支持構造が、下記特許文献３により提案されている。
【特許文献１】特開平９−２９９８４５号公報
【特許文献２】特開２００１−１７０３３１号公報
【特許文献３】特開２００５−３４２９９０号公報
【発明の開示】
【発明が解決しようとする課題】
【０００７】
しかし、従来の壁紙糊付機は、開脚状態にあるときに脚の回動支点より根元側において脚の側面に当接し、付勢手段により付勢されて脚を開脚状態にロックするロック部材を設けたものにおいては、上述のように、脚の回動支点より根元側に延長部分が必要で、その部分が閉脚状態で外側へはみ出すという問題があり、また、脚を回動支点よりも根元側でロックするため、側方から外力を受けたときの応力が大きくなり、ロック状態が安定しないという問題がある。
【０００８】
また、フレームに設けた支持部材に脚の上端部を回動可能に軸支し、脚の回動支点より下方に係止用突起を設け、支持部材に、脚の係止用突起と係合するロック手段を取り付けたものでは、上述のように、作業が容易で、安定性があり、糊付機の幅方向寸法が、脚の開閉で大きくなることはないが、それでも、ロック手段の係止用突起と脚の回動支点との間隔が比較的小さく、ロック手段に大きな力がかかり易く、破損やがたつくことがあり、また、装置を移動させる際に、誤ってロック手段を解除するなどの解決すべき課題が存在する。
【０００９】
この発明は、このような課題を解決するために考えられたもので、脚の開閉作業が容易で、かつ、脚部を開脚状態および閉脚状態においてそれぞれ確実にロックできる壁紙糊付機を提供することを目的としている。
【課題を解決するための手段】
【００１０】
この発明の壁紙糊付機は、角パイプで構成された糊付機本体を支持するフレームと、このフレームの四隅においてフレーム長手方向に開脚および閉脚自在に上端部が軸支された脚部を備えた壁紙糊付機において、上記脚部を軸支する軸穴およびこの軸穴から等距離の位置にあけた２つのロック穴を有し、上記フレームの四隅に設けた脚ロックプレートと、後端部にピンが植設され、先端部が上記ロック穴に係合するロックバーと、このロックバーを上記ロック穴に係合する方向に弾力を作用させるスプリングと、このロックバーのピンが摺動する円周方向に対して斜め向きのカム溝が形成されたつまみとを具備し、上記つまみを回すことにより、上記ロックバーと上記ロック穴との係合を外して上記脚部を回動し、開脚状態または閉脚状態にロックするものである。
【発明の効果】
【００１１】
この発明の壁紙糊付機においては、脚を開脚状態および閉脚状態でそれぞれ確実にロックでき、かつ、１つのつまみの回動操作で脚のロックあるいはロック解除を行うことができ、かつ、不用意な開脚・閉脚を防止できるので、例えば壁紙糊付機を自動車等で運ぶ際の積み降ろし時の脚の開閉作業が容易である。
【００１２】
また、この発明の壁紙糊付機においては、紙受け部材を別部品として着脱自在としたものでなく、脚部に折畳み・起立自在に取り付けているので、紙受け部材を起立させて壁紙原反の巻芯に芯棒を挿通して支持させると、糊付機本体に対して芯棒を正確に位置決めすることができて、壁紙の蛇行を生じることはない。
【発明を実施するための最良の形態】
【００１３】
この発明の壁紙糊付機は、図１の側面図に示すように、糊箱や、糊付けローラ、送り出しローラ等のローラ群を備えた糊付機本体Ａと、脚部とにより構成される。糊付機本体Ａは、従来より周知の構成のものである。また、脚部は、糊付機本体Ａを載置するフレーム４と、このフレーム４の四隅に設けた脚支持部材５と、脚ロックプレート３（図４参照）に上端部が回動自在に支持軸で支持された脚部６と、この脚部６を開脚状態または閉脚状態でロックする脚ロック機構とにより構成され、脚部６をフレーム４の下面に折り畳み得るように構成されている。
【００１４】
図１の側面図、図２の正面図、図３の平面図に示すように、フレーム４は、断面が四角形の４本の角パイプ41、42で形成され、その四隅の外側には、フレーム４を支持する脚支持部材５が固定されており、この脚支持部材５の内側には、脚ロックプレート３が長手方向に重ね合わせて設けられている。
【００１５】
脚ロックプレート３は、図４の組立図に示すように、四分の一円に近似した形状の垂直面31と、この垂直面31の上部を折り曲げて形成したフレーム４の角パイプ41の下面に当接する頂面35と、垂直面31の側部を折り曲げて形成した脚支持部材５の内側に当接する側面36とを有しており、垂直面31には、脚部６の回動軸64を挿通する１つの軸穴32と、脚ロック機構のロックバー15の先端部が、開脚時および閉脚時において係合する２つのロック穴33、34があけられている。
【００１６】
なお、脚ロックプレート３の垂直面31にあけた１つの軸穴32は、脚支持部材５にあけた軸穴52（図２参照）と一致した位置にあり、脚部６の回動軸64を挿通して脚部６を回動自在に支持するものである。
【００１７】
脚部６は、図１の側面図に示すように、断面が矩形の角パイプで作った上部角パイプ61と、底面にキャスター64を取り付けた断面が矩形の角パイプで作った下部角パイプ63と、上部角パイプ61と下部角パイプ63との間にやや傾斜して結合された脚用角パイプ62とによりＺ字形に形成されたものである。
【００１８】
なお、図１に示した脚部６は、Ｚ字形に形成しているが、これはデザインを考慮した形状に過ぎず、脚としての作用する形状であれば如何なる形状でもよく、角パイプ以外の丸パイプを使用してもよいのである。
【００１９】
図４の組立図に示すように、脚部６の上部角パイプ61には、脚部６を開脚状態または閉脚状態でロックする脚ロック・アッセンブリ１が設けられている。
【００２０】
図５の正面側から見た組立図および図６の裏面側から見た組立図に詳細を示すように、脚ロック・アッセンブリ１は、上部角パイプ61の中に挿入して固定するアルミまたは合成樹脂で作ったアッセンブリ・ブロック10と、このアッセンブリ・ブロック10にあけられた長手方向の貫通穴11に左右両側から挿通する２本のロックバー15、15と、つまみ２とにより構成される。
【００２１】
アッセンブリ・ブロック10には、長手方向の貫通穴11に向かって正面側から左右対称の位置に２つの長穴12、12があけられ、背面側から貫通穴11に向かって２つの長穴12、12に対向する位置に２つの丸穴14、14があけられており、さらに、２つの長穴12、12の間に、軸19のフランジ191を固定する４つの螺子穴13があけられている。
【００２２】
ロックバー15、15は、図７の斜視図に示すように、後端部近傍にピン18、18を植設する平坦面16、16を形成し、この平坦面16、16に螺子181、181を挿通する貫通穴をあけたものである。
【００２３】
つまみ２は、図８（ａ）に裏面を示すように、フランジ191で固定された軸19を挿通する穴21をあけた円形のものであって、表面側および裏面側には、穴21の周囲に円形の段部23、24が形成されており、裏面側の段部24の周囲には、円周方向に対して斜め向きのカム溝22、22が形成されており、このカム溝22、22には、ロックバー15、15の後端部近傍に植設したピン18、18が摺動する。
【００２４】
上部角パイプ61の両端部は、回動部材65、65（図４参照）によって封じられている。この回動部材65、65は、上部角パイプ61の両開口にかしめ込む長方形の突出部66を有する板状のもので、ロックバー15の先端部を挿通する穴67と、回動軸64を挿通する穴68があけられている。
【００２５】
次に、このように構成された壁紙糊付機における脚ロック・アッセンブリの組立手順を図５および図６の組立図に基づいて説明する。
【００２６】
上部角パイプ61には、挿通するアッセンブリ・ブロック10の２つの長穴12、12と、４つの螺子穴13と２つの丸穴14、14とにそれぞれ対応する位置にも、２つの長穴と軸19のフランジ191を固定する螺子を挿通する４つの丸穴とをあけ、裏面側に２つの丸穴（図６参照）をあける。
【００２７】
予め貫通穴11にコイルスプリング17を挿入したアッセンブリ・ブロック10を上部角パイプ61の一端部より挿入し、上部角パイプ61の表面にあけられた４つの穴に軸19のフランジ191の穴を合わせて、挿入したアッセンブリ・ブロック10の４つの螺子穴13に軸19のフランジ191をねじ止めする。このねじ止めにより、アッセンブリ・ブロック10は、上部角パイプ61のほぼ中央部に固定される。
【００２８】
固定されたアッセンブリ・ブロック10の貫通穴11に１つのロックバー15の後端側を挿通し、ロックバー15に形成した平坦面16を長穴12に合わせて、ロックバー15の平坦面16に表面側からピン18を押し付けながら、アッセンブリ・ブロック10の裏面側の丸穴14および上部角パイプ61の裏面側の丸穴を経て螺子181をピン18の螺子穴182（図６参照）に螺子込んで、一方のピン18を長穴12から突出させた状態で一方のロックバー15に固定する。
【００２９】
アッセンブリ・ブロック10の他方の貫通穴11に他方のロックバー15の後端側を挿通し、コイルスプリング17の弾力に抗して他方のロックバー15を押し付けながら、ロックバー15に形成した平坦面16を他方の長穴12に合わせ、ロックバー15の平坦面16にピン18を押し付けながら、アッセンブリ・ブロック10の裏面側の丸穴14および上部角パイプ61の裏面側の丸穴を経て螺子181をピン18の螺子穴182に螺子込んで、他方のピン18を長穴12から突出させた状態で他方のロックバー15に固定する。
【００３０】
コイルスプリング17の弾力により押された２本のロックバー15、15の先端部は、上部角パイプ61の両端の開口部より突出しているので、図４に示すように、突出した２本のロックバー15、15の先端部を回動部材65の穴67に通して、長方形の突出部66を上部角パイプ61の両開口部にかしめ込むことにより、回動部材65で上部角パイプ61の両端部を封じるように固定する。このとき、２本のロックバー15の先端部は、回動部材65の穴67から突出している。
【００３１】
コイルスプリング17の弾力によって押し拡げられた２本のロックバー15、15にはピン18、18がそれぞれ植設されており、これらのピン18、18は２つの長穴12、12の外端側に押し付けられている。
【００３２】
次に、上部角パイプ61にフランジ191により固定された軸19につまみ２を挿通する。このとき、つまみ２の裏面には、図６および図８に示すように、円周方向に対して斜め向きのカム溝22が形成されているので、このカム溝22にロックバー15に固定したピン18が嵌り込むようにつまみ２を回しながら、つまみ２を軸19に嵌め込み、つまみ２の表側の円形の段部23にワッシャー25を嵌め、螺子を軸19の螺子穴にねじ込んで、つまみ２を回動自在に支持させる。
【００３３】
つまみ２の表裏両側において、穴21の周囲に円形の段部23、24が形成されているので、表側にワッシャー25や螺子が突出することがなく、裏側においては、軸19のフランジ191を段部24の中に隠すことができる。
【００３４】
このようにして上部角パイプ61に脚ロック・アッセンブリ１を組み込んで脚部６を形成する。
【００３５】
そして、上部角パイプ61の両端を封じるように固定された回動部材65の穴68を、脚ロックプレート３の軸穴32および脚支持部材５の軸穴52と合わせて回動軸64を挿通して、脚部６をフレーム４に回動自在に取り付ける。このとき、脚部６は、脚ロックプレート３の頂面35と側面36で規制される約９０°の角度範囲で回動できる。
【００３６】
図９（ａ）の縦断面図に示すように、つまみ２の２つのカム溝22にロックバー15に固定したピン18、18が嵌っており、これらのピン18、18はコイルスプリング17の弾力によって外向きに押し拡げられて、カム溝22の中心から遠い外側に留まった状態でつまみ２を停止させている。このとき、ピン18、18を取り付けたロックバー15の両先端は、回動部材65より突出して、脚ロック・プレート３のロック穴33または34と係合している。
【００３７】
手でつまみ２を回すと、図９（ｂ）の縦断面図に示すように、カム溝22の外端に留まっていた２つのピン18、18が、コイルスプリング17の弾力に抗して内側に引き寄せられる。このとき、ピン18、18を固定したロックバー15、15の両先端は、回動部材65より同時に引き込まれ、脚ロック・プレート３のロック穴33または34から外れて上部角パイプ61とともに脚部６が回動可能となる。
【００３８】
なお、つまみ２を何れの方向に回しても、ロックバー15、15を内側に引き寄せて脚部６を回動可能としたい場合には、図８（ｂ）に示すように、円周方向に対して斜め向きのカム溝22、22を傾斜方向が異なる対称形のカム溝22ａ、22ａとすればよいのである。
【００３９】
次に、このように構成された壁紙糊付機の開脚・閉脚の動作について説明する。
【００４０】
閉脚した状態においては、図１０の正面図に示すように、脚支持部材５の内側に固定された脚ロック・プレート３のロック穴34にロックバー15の先端部が係合して、脚部６はフレーム４の下に収まっている。このとき、糊付機本体Ａを載せたフレーム４および脚部６は、脚支持部材５によって接地面から離れている。
【００４１】
開脚する場合には、上部角パイプ61のつまみ２を回して、脚ロック・プレート３のロック穴34に係合していたロックバー15の先端部を引き込むと脚部６は回動可能になる。そこで、脚支持部材５を持ち上げると、引き込んだロックバー15の先端部が脚ロック・プレート３の内面を摺動しながら脚部６を開き、ロックバー15の先端部が脚ロック・プレート３のロック穴33に係合すると開脚状態にロックされる。
【００４２】
閉脚する場合には、上部角パイプ61のつまみ２を回して、脚ロック・プレート３のロック穴33に係合していたロックバー15の先端部を引き込んで脚部６を内側へ押すと、引き込んだロックバー15の先端部が脚ロック・プレート３の内面を摺動しながら脚部６を閉じて、ロックバー15の先端部が脚ロック・プレート３のロック穴34に係合すると閉脚状態にロックされる。
【００４３】
次に、脚部６の下部角パイプ63に取り付ける紙受け部材７について説明する。
【００４４】
壁紙糊付機においては、巻芯に巻いた壁紙の原反を支持するための紙受け部材が設けられている。この発明の壁紙糊付機においては、図１１の組立図および図１２の縦断面図に示すように、脚部６の下部角パイプ63に紙受け部材７を回動自在に取り付けて、不使用時には、図１３の側面図に示すように、下部角パイプ63と平行な状態に折り畳めるように構成したものである。
【００４５】
紙受け部材は、脚部６の下部角パイプ63の上面に併設された楔形のストッパー94および頂部に円弧状の曲面を形成した軸受部材９と、この軸受部材９によって紙受け部材７を斜め上向きに起立させた状態または畳んだ状態でロックする紙受けロック・アッセンブリとにより構成される。
【００４６】
紙受けロック・アッセンブリは、図５および図６によって説明した上部角パイプ61に設けた脚ロック・アッセンブリの機構を使用するもので、角パイプ71の中に挿入して固定するアルミまたは合成樹脂で作った紙受けアッセンブリ・ブロック80と、この紙受けアッセンブリ・ブロック80にあけられた長手方向の貫通穴81に一方側から挿通するコイルスプリング87およびロックバー85と、つまみ20とにより構成される。
【００４７】
紙受けアッセンブリ・ブロック80には、長手方向の貫通穴81に向かって正面側の中心より外れた位置に１つの長穴82があけられ、背面側から貫通穴81に向かって１つの長穴82に対向する位置に丸穴（図示せず）があけられており、長穴82に隣接して軸19のフランジ191を固定する４つのネジ穴83があけられている。
【００４８】
ロックバー85は、図７の斜視図に示すものと同様に、後端部近傍にピン88を植設する平坦面86を形成し、この平坦面86に螺子を挿通する貫通穴をあけたものである。
【００４９】
つまみ20は、図８（ａ）に裏面を示すものと同様に、フランジ191で固定された軸19を挿通する穴21をあけた円形のものであって、表面側および裏面側には、穴21の周囲に円形の段部23、24が形成されており、裏面側の段部24の周囲には、円周方向に対して斜め向きの１つのカム溝22が形成されており、このカム溝22には、ロックバー85の後端部近傍に植設したピン88が摺動する。
【００５０】
角パイプ71の一端部は、ロックバー85を挿通する貫通穴76をあけた回動部材75で封じられており、角パイプ71の他端部は、壁紙原反の巻芯の中に挿通した棒を受ける二股の受部材72で封じられている。回動部材75および二股の受部材72の後端部には、角パイプ71の中に挿し込んで横方向からねじ止めする突出部73、74がそれぞれ形成されている。
【００５１】
回動部材75の先端の両側には２枚のほぼ半円形の板77、77を固定する段部が形成されており、この２枚の半円形の板77、77には回動軸95を挿通する穴78があけられている。これら２枚の半円形の板77、77を予め回動部材75の段部にねじ止めしておく。
【００５２】
次に、この紙受け部材７の紙受けロック・アッセンブリの組立手順を図１１の組立図に基づいて説明する。
【００５３】
角パイプ71にも、挿通する紙受けアッセンブリ・ブロック80の長穴82と、４つの螺子穴83と、丸穴とにそれぞれ対応する位置に、１つの長穴と、軸19のフランジ191を固定する螺子を挿通する４つの丸穴とをあけ、裏面側に１つの丸穴をあける。
【００５４】
紙受けアッセンブリ・ブロック80を角パイプ71の一端部より挿入し、角パイプ71の表面にあけられた４つの穴に軸19のフランジ191の穴を合わせて、挿入した紙受けアッセンブリ・ブロック10の４つの螺子穴83に軸19のフランジ191をねじ止めする。このねじ止めにより、紙受けアッセンブリ・ブロック80は、角パイプ71の中に固定される。
【００５５】
固定された紙受けアッセンブリ・ブロック80の貫通穴81にロックバー85の後端側を挿通し、ロックバー85に形成した平坦面86を長穴82に合わせて、ロックバー85の平坦面86に表面側からピン88を押し付けながら、紙受けアッセンブリ・ブロック80および上部角パイプ71の裏面側の丸穴を経て螺子をピン88に螺子込んで、ピン88を長穴82から突出させた状態でロックバー85に固定する。
【００５６】
角パイプ81の一端部には、回動部材75の貫通穴76にロックバー85を挿通しながら回動部材75の突出部74を挿し込んで封じ、横方向からねじ止めする。
【００５７】
角パイプ71の他端部には、紙受けアッセンブリ・ブロック80の貫通穴81にコイルスプリング87を挿し込み、コイルスプリング87の弾力に抗して二股の受部材72の突出部73を挿し込んで封じ、横方向からねじ止めする。
【００５８】
次に、このように構成された壁紙糊付機の紙受け部材７の畳んだ状態・起立状態への切換動作について説明する。
【００５９】
紙受け部材７の畳んだ状態においては、図１２の縦断面図および図１３の側面図に示すように、下部角パイプ63の上に固定された軸受部材９の穴93にロックバー85の先端部が係合して、紙受け部材７は下部角パイプ63の上に接してロックされている。
【００６０】
紙受け部材７を斜め上向きに起立させる場合には、つまみ20を回して軸受部材９の穴93に係合していたロックバー85の先端部を引き込んで、手で紙受け部材７を起こすと、紙受け部材７は、楔形のストッパー94に突き当たるまで軸91を中心にして回動することができる。このとき、つまみ20から手を離していると、ロックバー85の先端部が軸受部材９の円弧状の曲面を摺動し、紙受け部材７がストッパー94に突き当たると同時に、ロックバー85の先端部が、軸受部材９の円弧状の曲面に形成した穴92に係合して起立状態にロックされる（図１参照）。
【００６１】
紙受け部材７を畳む場合には、つまみ20を回してロックバー85の先端部と軸受部材９との係合を解除して、紙受け部材７を下部角パイプ63の上に接するまで回せば畳んだ状態でロックされる。
【図面の簡単な説明】
【００６２】
【図１】この発明の壁紙糊付機の側面図、
【図２】この発明の壁紙糊付機における脚部を開脚した状態を示す正面図、
【図３】この発明の壁紙糊付機における脚部を開脚した状態を示す平面図、
【図４】脚を開脚状態または閉脚状態でロックする脚ロック機構の組立図、
【図５】脚ロック・アッセンブリの正面側から見た組立図、
【図６】脚ロック・アッセンブリの裏面側から見た組立図、
【図７】脚ロック・アッセンブリにおいて使用するロックバーの組立図、
【図８】脚ロック・アッセンブリにおいて使用するつまみの裏面図、
【図９】脚ロック機構の動作を説明する縦断面図、
【図１０】この発明の壁紙糊付機の閉脚状態を示す正面図、
【図１１】この発明の壁紙糊付機びおいて使用する紙受け部材の組立図、
【図１２】紙受け部材を畳んだ状態を示す縦断面図、
【図１３】紙受け部材を畳んだ状態を示す壁紙糊付機の側面図である。
【符号の説明】
【００６３】
Ａ  糊付機本体
１  脚ロック・アッセンブリ
10  アッセンブリ・ブロック
11  貫通穴
12  長穴
13  螺子穴
14  丸穴
15  ロックバー
17  コイル・スプリング
２  つまみ
21  貫通穴
22  カム溝
３  脚ロックプレート
33、34  ロック穴
４  フレーム
41  42  角パイプ
５  脚支持部材
６  脚部
61  上部角パイプ
63  下部角パイプ
65  回動部材
７  紙受け部材
【図１】
2010149391.tif 000003
【図２】
2010149391.tif 000004
【図３】
2010149391.tif 000005
【図４】
2010149391.tif 000006
【図５】
2010149391.tif 000007
【図６】
2010149391.tif 000008
【図７】
2010149391.tif 000009
【図８】
2010149391.tif 000010
【図９】
2010149391.tif 000011
【図１０】
2010149391.tif 000012
【図１１】
2010149391.tif 000013
【図１２】
2010149391.tif 000014
【図１３】
2010149391.tif 000015